【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
塩基の存在下でのアミン化合物によるハロゲン化芳香族化合物またはハロゲン化複素環化合物のアミノ化反応によって、電子写真感光体用の電荷輸送物質を合成する方法において、
金属含有化合物および少なくとも１つのアミノ基が結合したリン原子を有するアミノ置換リン化合物を触媒として用いることを特徴とする電子写真感光体用の電荷輸送物質の合成方法。
【請求項２】
前記少なくとも１つのアミノ基が結合したリン原子を有するアミノ置換リン化合物が、下記式（１）で示される構造を有する化合物である請求項１に記載の電子写真感光体用の電荷輸送物質の合成方法。
【化１】
2006023562.tif 000001
（式（１）中、Ｒ１１〜Ｒ１３は、それぞれ独立に、炭素原子数１〜４のアルキル基を示す。）
【請求項３】
前記少なくとも１つのアミノ基が結合したリン原子を有するアミノ置換リン化合物が、下記式（２）で示される構造を有する化合物である請求項１に記載の電子写真感光体用の電荷輸送物質の合成方法。
【化２】
2006023562.tif 000002
（式（２）中、Ｒ２１〜Ｒ２３は、それぞれ独立に、炭素原子数１〜４のアルキル基を示し、Ｒ２４は、水素原子または炭素原子数１〜４のアルキル基を示す。）
【請求項４】
前記少なくとも１つのアミノ基が結合したリン原子を有するアミノ置換リン化合物が、下記式（３）で示される構造を有する化合物である請求項１に記載の電子写真感光体用の電荷輸送物質の合成方法。
【化３】
2006023562.tif 000003
（式（３）中、Ｒ３１〜Ｒ３４は、それぞれ独立に、炭素原子数１〜４のアルキル基を示す。）
【請求項５】
前記式（３）中のＲ３３およびＲ３４の少なくとも一方がターシャリーブチル基である請求項４に記載の電子写真感光体用の電荷輸送物質の合成方法。
【請求項６】
前記少なくとも１つのアミノ基が結合したリン原子を有するアミノ置換リン化合物が、下記式（４）で示される構造を有する化合物である請求項１に記載の電子写真感光体用の電荷輸送物質の合成方法。
【化４】
2006023562.tif 000004
（式（４）中、Ｒ４１〜Ｒ４５は、それぞれ独立に、炭素原子数１〜４のアルキル基を示す。）
【請求項７】
前記式（４）中のＲ４３がターシャリーブチル基である請求項６に記載の電子写真感光体用の電荷輸送物質の合成方法。
【請求項８】
前記金属含有化合物の金属がパラジウムである請求項１〜７のいずれかに記載の電子写真感光体用の電荷輸送物質の合成方法。
【請求項９】
前記金属含有化合物が、Ｐｄ（Ｏａｃ）２、Ｐｄ（ａｃａｃ）２、（ＣＨ３ＣＮ）２Ｐｄ（ＮＯ２）Ｃｌ、（Ｃ１０Ｈ８Ｎ２）２ＰｄＣｌ２、Ｐｄ２（ｄｂａ）３およびＰｄＣｌ２からなる群より選択される少なくとも１種の金属含有化合物である請求項８に記載の電子写真感光体用の電荷輸送物質の合成方法。
【請求項１０】
前記塩基がアルカリ金属アルコシキドである請求項１〜９のいずれかに記載の電子写真感光体用の電荷輸送物質の合成方法。
【請求項１１】
前記ハロゲン化芳香族化合物が臭化芳香族化合物である請求項１〜１０のいずれかに記載の電子写真感光体用の電荷輸送物質の合成方法。
【請求項１２】
支持体および該支持体上に形成された電荷輸送物質を含有する層を有する電子写真感光体を製造する方法であって、
請求項１〜１１のいずれかに記載の合成方法によって該電荷輸送物質を合成する電荷輸送物質合成工程と、
該電荷輸送物質合成工程で合成された電荷輸送物質を用いて該電荷輸送物質を含有する層用の塗布液を調製する塗布液調製工程と、
該塗布液調製工程で調製された塗布液を用いて該電荷輸送物質を含有する層を形成する層形成工程と
を有することを特徴とする電子写真感光体の製造方法。
【請求項１３】
請求項１２に記載の製造方法により製造されたことを特徴とする電子写真感光体。
【請求項１４】
請求項１３に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１５】
請求項１３に記載の電子写真感光体、帯電手段、露光手段、現像手段および転写手段を有することを特徴とする電子写真装置。
【手続補正２】
【補正対象書類名】明細書
【補正対象項目名】発明の名称
【補正方法】変更
【補正の内容】
【発明の名称】電子写真感光体用の電荷輸送物質の合成方法、電子写真感光体の製造方法、電子写真感光体、プロセスカートリッジおよび電子写真装置
【手続補正３】
【補正対象書類名】明細書
【補正対象項目名】０００１
【補正方法】変更
【補正の内容】
【０００１】
本発明は、電子写真感光体用の電荷輸送物質の合成方法、電子写真感光体の製造方法、電子写真感光体、電子写真感光体を有するプロセスカートリッジおよび電子写真装置に関する。
【手続補正４】
【補正対象書類名】明細書
【補正対象項目名】０００８
【補正方法】変更
【補正の内容】
【０００８】
本発明は、塩基の存在下でのアミン化合物によるハロゲン化芳香族化合物またはハロゲン化複素環化合物のアミノ化反応によって、電子写真感光体用の電荷輸送物質を合成する方法において、
金属含有化合物および少なくとも１つのアミノ基が結合したリン原子を有するアミノ置換リン化合物を触媒として用いることを特徴とする電子写真感光体用の電荷輸送物質の合成方法である。
また、本発明は、支持体および該支持体上に形成された電荷輸送物質を含有する層を有する電子写真感光体を製造する方法であって、
請求項１〜１１のいずれかに記載の合成方法によって該電荷輸送物質を合成する電荷輸送物質合成工程と、
該電荷輸送物質合成工程で合成された電荷輸送物質を用いて該電荷輸送物質を含有する層用の塗布液を調製する塗布液調製工程と、
該塗布液調製工程で調製された塗布液を用いて該電荷輸送物質を含有する層を形成する層形成工程と
を有することを特徴とする電子写真感光体の製造方法である。
【手続補正５】
【補正対象書類名】明細書
【補正対象項目名】００１０
【補正方法】変更
【補正の内容】
【００１０】
本発明によれば、トリアリールアミン化合物やその誘導体を電荷輸送物質として用いた電子写真感光体の電子写真特性をより向上させることができる電子写真感光体用の電荷輸送物質の合成方法および電子写真感光体の製造方法を提供することができ、また、該製造方法により製造された電子写真感光体、ならびに、該電子写真感光体を有するプロセスカートリッジおよび電子写真装置を提供することができる。
【手続補正６】
【補正対象書類名】明細書
【補正対象項目名】００１５
【補正方法】変更
【補正の内容】
【００１５】
本発明の電子写真感光体用の電荷輸送物質の合成方法において触媒として用いられるアミノ置換リン化合物は、アミノ基を構成する窒素原子上の孤立電子対がリン原子に対して電子を供与することにより、リン原子における電荷密度が高まり、反応性が向上していると考えられる。
【手続補正７】
【補正対象書類名】明細書
【補正対象項目名】００４６
【補正方法】変更
【補正の内容】
【００４６】
本発明の電子写真感光体用の電荷輸送物質の合成方法において触媒として用いられる金属含有化合物の金属は、パラジウムであることが好ましい。パラジウムを含有する化合物としては、例えば、Ｐｄ（Ｏａｃ）２、Ｐｄ（ａｃａｃ）２、（ＣＨ３ＣＮ）２Ｐｄ（ＮＯ２）Ｃｌ、（Ｃ１０Ｈ８Ｎ２）２ＰｄＣｌ２、Ｐｄ２（ｄｂａ）３、ＰｄＣｌ２などが好適例として挙げられる。
【手続補正８】
【補正対象書類名】明細書
【補正対象項目名】００４７
【補正方法】変更
【補正の内容】
【００４７】
本発明の電子写真感光体用の電荷輸送物質の合成方法において触媒として用いられる上記アミノ置換リン化合物の使用量は、同工程において触媒として用いられる上記金属含有化合物の使用量に対して５０〜１０００質量％であることが好ましく、特には８０〜５００質量％であることがより好ましい。
【手続補正９】
【補正対象書類名】明細書
【補正対象項目名】００４８
【補正方法】変更
【補正の内容】
【００４８】
また、本発明の電子写真感光体用の電荷輸送物質の合成方法において触媒として用いられる上記金属含有化合物の使用量は、電荷輸送物質の原料（アミン化合物ならびにハロゲン化芳香族化合物もしくはハロゲン化複素環化合物）に対して０．０００１〜２０ｍｏｌ％であることが好ましく、特には０．００２〜１０ｍｏｌ％であることがより好ましい。
【手続補正１０】
【補正対象書類名】明細書
【補正対象項目名】００４９
【補正方法】変更
【補正の内容】
【００４９】
本発明の電子写真感光体用の電荷輸送物質の合成方法において触媒として用いられる上記アミノ置換リン化合物および上記金属含有化合物は、触媒として作用する際、上記アミノ置換リン化合物が上記金属含有化合物に配位した状態になる。上記アミノ置換リン化合物が上記金属含有化合物に配位した状態は、あらかじめ電荷輸送物質合成反応系外で形成するようにしてもよいし、反応系中に上記アミノ置換リン化合物と上記金属含有化合物とをそれぞれ投入し、反応系中で配位した状態が形成されるようにしてもよい。
【手続補正１１】
【補正対象書類名】明細書
【補正対象項目名】００５０
【補正方法】変更
【補正の内容】
【００５０】
また、本発明の電子写真感光体用の電荷輸送物質の合成方法は塩基の存在下で行われるが、この塩基としては、強塩基であることが好ましく、具体的には、アルカリ金属アルコシキド、アルカリ土類金属アルコシキド、炭酸カリウム、リン酸三カリウムが好ましい。
【手続補正１２】
【補正対象書類名】明細書
【補正対象項目名】００５４
【補正方法】変更
【補正の内容】
【００５４】
本発明の電子写真感光体用の電荷輸送物質の合成方法に用いられる溶剤としては、ベンゼン、トルエン、キシレンなどの芳香族炭化水素や、モノグライム、ジグライム、テトラヒドロフラン、１，４−ジオキサンなどの環式あるいは非環式エーテル化合物などが挙げられる。これらの中でも、キシレン、１，４−ジオキサンが好ましい。
【手続補正１３】
【補正対象書類名】明細書
【補正対象項目名】００５５
【補正方法】変更
【補正の内容】
【００５５】
本発明の電子写真感光体用の電荷輸送物質の合成方法は、常圧下・空気中で行うことができるが、加圧下で行ってもよい。また、反応温度は、５０〜２００℃であることが好ましく、反応の選択性の観点から、１５０℃以下であることがより好ましい。また、反応時間は、使用する原料、触媒、塩基、溶剤などの種類、使用量や反応温度にもよるが、反応の選択性の観点から、反応時間は短い方が好ましく、具体的には、２分〜１２０時間であることが好ましい。